(57)【要約】      （修正有）【課題】エレベータのかごに取り付けるガラスに寸法誤差が生じている場合であっても、ガラスを固定することができるようにすること。【解決手段】昇降路内を上下動するエレベータ用のかご２３０であって、かご２３０が、曲面を有するガラス部２３８と、ガラス部２３８をかご２３０に取り付けるための少なくとも２以上のガラス取付部と、を含み、ガラス取付部は、かご２３０に取り付ける位置を調節するための調節部を有するエレベータ用かご２３０を提供する。【選択図】図３
2019099347.tif 000002
【特許請求の範囲】
【請求項１】
昇降路内を上下動するエレベータ用のかごであって、
前記かごが、曲面を有するガラス部と、
前記ガラス部をかごに取り付けるための少なくとも２以上のガラス取付部と、を含み、
前記ガラス取付部は、前記かごに取り付ける位置を調節するための調節部を有するエレベータ用かご。
【請求項２】
前記ガラス取付部が、第１取付部と第２取付部とを有し、
前記第１取付部と前記第２取付部とにより前記ガラス部が挟まれることにより、前記ガラス部がかごに固定される請求項１記載のエレベータ用かご。
【請求項３】
前記第１取付部及び前記第２取付部の少なくとも一方に、前記ガラス部を前記第１取付部及び前記第２取付部で挟むのを補助するための補助部材が設けられる請求項２記載のエレベータ用かご。
【請求項４】
前記調節部は、前記ガラス部の曲率半径方向に調節可能である請求項１、２又は３記載のエレベータ用かご。
【請求項５】
前記第１取付部及び前記第２取付部の少なくとも一方は、固定前に鉛直方向に延びる軸を中心に所定範囲揺動可能である請求項２乃至４記載のエレベータ用かご。
【請求項６】
前記調節部は、前記第１取付部及び前記第２取付部の少なくとも一方に設けられた長孔である請求項２乃至５記載のエレベータ用かご。
【請求項７】
請求項１乃至請求項６記載のエレベータ用かごを備えるエレベータ。
【発明の詳細な説明】
【技術分野】
【０００１】
本発明は、曲面ガラスを備えるエレベータ用かご及びそれを備えるエレベータに関する。
【背景技術】
【０００２】
従来、展望用エレベータのかごに取り付けられる展望用ガラスは、平面ガラスの場合であっても、曲面ガラスの場合であっても、ガラスの設計寸法に合わせた部材がガラスを挟み込むことにより、ガラスをかごに固定していた。
【０００３】
しかしながら、曲面ガラスの場合、特に強化ガラスを用いた曲面ガラスの場合、ガラスの製作上、寸法誤差が大きくなり易いという問題があった。
【０００４】
そのため、曲面ガラスを固定する部分によってしっかりと固定できないという問題があった。また、曲面ガラスの寸法と、ガラスを固定する部分との寸法が合わず、ガラスを固定する部分によって曲面ガラスを挟むことができない場合もあった。
【０００５】
また、曲面ガラスの寸法が大きくなるほど、製作された曲面ガラスの寸法誤差が大きくなるため、さらに曲面ガラスを固定することが困難になるという問題があった。
【先行技術文献】
【特許文献】
【０００６】
【特許文献１】実開昭６１−１０１５７３号公報
【発明の概要】
【発明が解決しようとする課題】
【０００７】
特許文献１は、かご内にガラス窓を設け、内外から展望する展望用エレベータについてのものである。
【０００８】
このようなものであれば、ガラスの寸法誤差を小さくすることができる。しかし、特許文献１に係る発明（考案）は、ガラスを縦に分割するというものである。
【０００９】
そのため、ガラスとガラスとを接続する部分にコーキングやフレームを設ける必要があり眺望が阻害されるという問題がある。
【００１０】
本発明の主な目的は、エレベータのかごに取り付けるガラスに寸法誤差が生じている場合であっても、ガラスを固定することができるようにすることである。
【００１１】
本発明の他の目的は、眺望が阻害されにくいように、ガラスをエレベータのかごに取り付けることである。
【課題を解決するための手段】
【００１２】
本発明における第１の局面に係るエレベータ用かごは、昇降路内を上下動するエレベータ用のかごであって、
前記かごが、曲面を有するガラス部と、
前記ガラス部をかごに取り付けるための少なくとも２以上のガラス取付部と、を含み、
前記ガラス取付部は、前記かごに取り付ける位置を調節するための調節部を有するエレベータ用かごである。
【００１３】
このようなものであれば、曲面を有するガラス（ガラス部）に寸法誤差が生じた場合であっても、ガラス取付部の位置が調節され、ガラスがかごにしっかりと取り付けられる（固定される）。
【００１４】
また、ガラス取付部が複数設けられていることから、ガラスが曲面を有していて、ガラスに寸法誤差が生じている場合であっても、しっかりとガラスがかごに取り付けられる。
【００１５】
また、このようなガラス取付部を備えるかごであれば、曲面を有するガラスをしっかりとかごに取り付けることができるため、ガラス部を縦方向に複数分割する必要がない。
【００１６】
そのため、ガラス同士を接続する部分にコーキングやフレームが設けられる必要がなく、眺望が阻害されにくいという効果がある。
【００１７】
なお、本発明において「ガラス部」とは、強化ガラス等のガラスだけでなく、強化プラスチック等のプラスチックも含まれる概念である。
【００１８】
本発明における第２の局面に係るエレベータ用かごは、第１の局面に係るエレベータ用かごであって、前記ガラス取付部が、第１取付部と第２取付部とを有し、
前記第１取付部と前記第２取付部とにより前記ガラス部が挟まれることにより、前記ガラス部がかごに固定されるエレベータ用かごである。
【００１９】
このようなものであれば、第１取付部と第２取付部とで挟まれることによりガラス（ガラス部）がしっかりと固定される。
【００２０】
本発明における第３の局面に係るエレベータ用かごは、第２の局面に係るエレベータ用かごであって、前記第１取付部及び前記第２取付部の少なくとも一方に、前記ガラス部を前記第１取付部及び前記第２取付部で挟むのを補助するための補助部材が設けられるエレベータ用かごである。
【００２１】
補助部材が設けられることによりガラス（ガラス部）がしっかりとかごに固定される。補助部材は、ガラス部に接触するものが好ましい。
【００２２】
本発明における第４の局面に係るエレベータ用かごは、第１の局面、第２の局面又は第３の局面に係るエレベータ用かごであって、前記調節部は、前記ガラス部の曲率半径方向に調節可能であるエレベータ用かごである。
【００２３】
このようなものであれば、ガラス部の曲率半径の中心方向にガラス取付部の位置を調節することができる。そのため、ガラス部がしっかりと固定される。
【００２４】
具体的には、第１取付部及び第２取付部がガラス部の曲率半径に沿って配置されるものが挙げられる。
【００２５】
このようなものであれば、第１取付部及び第２取付部の位置を調節することにより、曲面を有するガラス部がしっかりと固定される。
【００２６】
本発明における第５の局面に係るエレベータ用かごは、第２の局面乃至第４の局面に係るエレベータ用かごであって、前記第１取付部及び前記第２取付部の少なくとも一方は、固定前に鉛直方向に延びる軸を中心に所定範囲揺動可能であるエレベータ用かごである。
【００２７】
このようなものであれば、曲面を有するガラス部の制作誤差が大きくなった場合であっても、第１取付部及び第２取付部の少なくとも一方が、鉛直方向に延びる軸を中心に揺動して、ガラス部との接触面積が大きくなる。したがって、ガラス部を強固に固定することができる。
【００２８】
本発明における第６の曲面に係るエレベータ用かごは、第２の曲面乃至第５の曲面に係るエレベータ用かごであって、前記調節部は、前記第１取付部及び前記第２取付部の少なくとも一方に設けられた長孔であるのエレベータ用かごである。
【００２９】
このようなものであれば、長孔に沿って第１取付部又は第２取付部の取付位置が調節可能である。
【００３０】
本発明における第７の局面に係るエレベータは、第１の局面乃至第６の局面に係るエレベータ用かごを備えるエレベータである。
【図面の簡単な説明】
【００３１】
【図１】本実施形態に係る一般的なエレベータの斜視図。
【図２】本実施形態に係る一般的なエレベータの側面視概略図。
【図３】本実施形態に係るエレベータのかごの斜視図。
【図４】本実施形態に係るエレベータのかごをＡ−Ａで切断した部分断面図。
【図５】本実施形態に係るエレベータのかごをＢ−Ｂで切断した部分断面図。
【図６】本実施形態に係るエレベータのかごの第１取付部の斜視図。
【図７】本実施形態に係るエレベータのかごの第２取付部の斜視図。
【図８】本実施形態に係るエレベータのかごをＢ−Ｂで切断した部分断面図。
【発明を実施するための形態】
【００３２】
以下、本発明に係るエレベータ用かご及びそれを備えるエレベータの実施形態に関して図面を参照しながら説明する。
【００３３】
（エレベータ１００）
図１及び図２に示すように、エレベータ１００において、昇降路下部には巻上機２００が設置されている。
【００３４】
巻上機２００の駆動シーブ２１０に巻き掛けられた主ロープ２２０の一端部は、かご２３０に取り付けられている第１かごシーブ２３２及び第２かごシーブ２３３を経由して昇降路内に固定されている。
【００３５】
また、主ロープ２２０の他端部には釣合い錘２４０に取り付けられている釣合い錘シーブ２４１を経由して昇降路内に固定されている。
【００３６】
巻上機２００のモータ（図示しない）によって駆動シーブ２１０が回転駆動されると、これに伴って主ロープ２２０が走行する。そして、これに伴って第１かごシーブ２３２及び第２かごシーブ２３３が取り付けられているかご２３０が、かごガイドレール３００に案内されて昇降路内を昇降する。
【００３７】
同様に、主ロープ２２０の走行に伴って、釣合い錘シーブ２４１が取り付けられている釣合い錘２４０が、釣合い錘ガイドレール２４２に案内されて昇降路内を昇降する。
【００３８】
主ロープ２２０の走行の向きは、第１シーブ２１１及び第２シーブ２１２によって変化する。
【００３９】
エレベータ１００には、かご２３０の昇降速度が所定速度を超過したことを機械的に検知する調速機４００が設けられている。調速機４００のガバナシーブ４１０とガバナシーブ４１０の下方に位置するテンションシーブ５００との間には、無端状のガバナロープ６００が巻き掛けられている。
【００４０】
ガバナロープ６００は、テンションシーブ５００により主ロープ２２０と平行に緊張した状態で張架されている。このガバナロープ６００の一部は、かご２３０側に備えた非常止め装置２３１を作動させる非常止めレバー２５０に固定されている。
【００４１】
このため、ガバナロープ６００は、かご２３０の昇降に同期してかご２３０と同速度で走行する。このとき、ガバナロープ６００の走行速度と同速度で回転させられるガバナシーブ４１０の回転速度を調速機４００が検出することで、昇降中のかご２３０の速度超過が検知される。
【００４２】
かご２３０の昇降速度が定格速度（所定速度）の大きさを超える第１の速度になると、主ロープ２２０の巻上機２００を構成するモータ（図示しない）にブレーキがかけられる。
【００４３】
しかし、主ロープ２２０が破断した場合等には、モータ（図示しない）を止めてもかご２３０の降下は止まらない。そのため、かご２３０の降下速度（ガバナシーブ４１０の回転速度）が、第１の速度よりもさらに大きい第２の速度を超えた場合、トリップレバー（図示しない）による支持が解除されて、可動掴みがその自重により下方へ揺動（降下）する。
【００４４】
これにより、可動掴み４２０と固定掴み４３０との間隔が徐々に狭まっていき、可動掴み４２０がその間を下方に走行するガバナロープ６００と接触した後は、ガバナロープ６００との間に生じる摩擦力も加わって、可動掴み４２０は、さらに降下する。
【００４５】
そして、可動掴み４２０が固定掴み４３０と対向する位置まで降下し、ガバナロープ６００が可動掴み４２０と固定掴み４３０とで把持されて、ガバナロープ６００が停止される。
【００４６】
そのとき、圧縮コイルバネ（図示しない）は、さらに圧縮され、その復元力で、ガバナロープ６００を強圧して、ガバナロープ６００が固定される。
【００４７】
かご２３０は降下し続けているにもかかわらず、ガバナロープ６００の走行が停止すると、ガバナロープ６００に固定されている非常止めレバー２５０がガバナロープ６００に引っ張られる格好で、相対的に引き上げられる。その結果、非常止め装置２３１が作動する。
【００４８】
非常止め装置２３１が作動することによっても、かご２３０が停止しない場合、かご２３０は、下方に配置されているオイルバッファ７００である第１オイルバッファ７００ａに衝突する。第１オイルバッファ７００ａは、かご２３０の衝撃を吸収して、かご２３０を停止させる。
【００４９】
釣合い錘２４０の下方にもオイルバッファ７００である第２オイルバッファ７００ｂが配置されている。第２オイルバッファ７００ｂは、釣合い錘２４０が落下した場合、釣合い錘２４０の落下による衝撃を吸収して、釣合い錘２４０を停止させる。
【００５０】
（かご２３０）
図１及び図２では、第１かごシーブ２３２及び第２かごシーブ２３３は、かご枠２３４の下方に配置されていたが、図３に示すように、本実施形態のかご２３０では、かご枠２３４の上方に配置されている。
【００５１】
図３に示すように、本実施形態におけるかご２３０は、かご２３０を非常停止させるための非常止め装置２３１（図２に図示）と、
主ロープ２２０が掛けられている第１かごシーブ２３２及び第２かごシーブ２３３と、
第１かごシーブ２３２及び第２かごシーブ２３３が取り付けられているかご枠２３４と、
かご枠２３４に取り付けられているかご本体２３５と、を含む。
【００５２】
非常止め装置２３１は、非常時にかご２３０を非常停止させるためのものである。具体的には上述した通りである。
【００５３】
第１かごシーブ２３２及び第２かごシーブ２３３は、主ロープ２２０が掛けられている。また、本実施形態では、第１かごシーブ２３２及び第２かごシーブ２３３は、かご枠２３４の上方に配置されている。
【００５４】
主ロープ２２０が第１かごシーブ２３２及び第２かごシーブ２３３を走行することにより、かご枠２３４が、かごガイドレール３００に沿って上下動する。
【００５５】
かご枠２３４には、第１かごシーブ２３２、第２かごシーブ２３３、かご本体２３５及びガイド装置２３９が取り付けられている。
【００５６】
なお、本実施形態では、第１かごシーブ２３２及び第２かごシーブ２３３は、かご枠２３４の上方に配置されているが、図１及び図２に示すようにかご枠２３４の下方に配置されてもよい。
【００５７】
かご枠２３４には、かご本体２３５が取り付けられている。かご本体２３５は、人や荷物等が入るところである。
【００５８】
本実施形態では、かご本体２３５は、かご本体部２３６と、かご本体部２３６に取り付けられるかごドア部２３７と、かご本体部２３６に取り付けられるガラス部２３８と、を含む。
【００５９】
かご本体部２３６は、かご枠２３４に取り付けられている。かご本体部２３６は、かご本体２３５の大部分を占めるところである。
【００６０】
かごドア部２３７は、各フロアに設けられているエレベータ用ドア（図示しない）と共に開閉するドアである。
【００６１】
かごドア部２３７は、従来と同様の構成であるため、詳細な説明は省略する。なお、扉の枚数は限定されない。
【００６２】
本実施形態では、ガラス部２３８は、強化ガラスで構成されている。なお、本実施形態では、ガラス部２３８は、強化ガラスが用いられているが、透明性を有するプラスチックであってもよい。プラスチックの場合は強化プラスチックが好ましい。
【００６３】
本実施形態では、ガラス部２３８は、ｙ軸負方向側に配置される第１ガラス側面部２３８ａと、
ｙ軸正方向側に配置される第２ガラス側面部２３８ｂと、
ｘ軸正方向側に配置されるガラス正面部２３８ｃと、
ｚ軸正方向側に配置されるガラス天井部２３８ｄと、を含む。
【００６４】
本実施形態では、第１ガラス側面部２３８ａ及び第２ガラス側面部２３８ｂは、従来と同様の方法でかご本体部２３６に取り付けられている。
【００６５】
図４に示すように、ガラス正面部２３８ｃは、中心部分がｘ軸正方向側に突出する、ｘｙ平面視で円弧状の形状をしている。つまり、ガラス正面部２５８ｃは、ｘｙ平面視で湾曲している形状である。
【００６６】
ガラス正面部２３８ｃは、ｘｙ平面視で湾曲しているため、かご２３０内の人等は、広い視野でエレベータ外の景色を眺望することができる。
【００６７】
ガラス天井部２３８ｄは、第１ガラス側面部２３８ａ、第２ガラス側面部２３８ｂ、ガラス正面部２３８ｃ及びかご本体部２３６に接続されている。
【００６８】
ガラス部２３８であるガラス正面部２３８ｃは、ガラス取付部８００によって、かご本体部２３６に取り付けられている。
【００６９】
ガイド装置２３９は、ガイドレール３００に沿って移動する部分である。ガイド装置２３９がガイドレール３００上を移動することにより、かご２３０が昇降する。
【００７０】
ガイド装置２３９は、かご枠２３４の上部に２箇所、下部に２箇所の合計４箇所設けられている。
【００７１】
本実施形態では、ガイド装置２３９は、３つのガイドローラーを備える構成である。
【００７２】
（ガラス取付部８００）
図４、図５、図６及び図７に示すように、ガラス取付部８００には、ガラス正面部２３８ｃよりｘ軸正方向側に配置される第１取付部８１０と、
ガラス正面部２３８ｃよりｘ軸負方向側に配置される第２取付部８２０と、
第２取付部８２０に取り付けられる補助部材８３０と、
第１取付部８１０及び第２取付部８２０が固定されるベース部材８４０と、を含む。
【００７３】
本実施形態では、ガラス取付部８００は、ガラス正面部２３８ｃで使用されているいるが、第１ガラス側面部２３８ａ、第２ガラス側面部２３８ｂ及びガラス天井部２３８ｄで使用されてもよい。
【００７４】
本実施形態では、第１取付部８１０と第２取付部８２０は、ほぼ同じ形状の部材であるが、異なる形状のものであってもよい。
【００７５】
図６に示すように、第１取付部８１０は、側面視（ｘｚ平面視）において底面及び上面が折り曲げられ又は溶接され、底面と上面がｘｙ平面と略平行となる構成である。
【００７６】
そして、第１取付部８１０は、第１底面８１１と、第１上面８１２と、第１底面８１１と第１上面８１２との間に配置される第１取付部本体８１３と、を含む。
【００７７】
本実施形態では、第１底面８１１には、調節部である第１貫通孔８１４及び第２貫通孔８１５を有する。なお、本実施形態では、貫通孔は２箇所設けられているが、１か所でもよく、また３箇所以上であってもよい。
【００７８】
第１貫通孔８１４及び第２貫通孔８１５は、ｘ軸方向に延びる長穴である。これにより、第１取付部８１０が取り付けられるｘ軸方向の位置調節が可能となる。
【００７９】
また、第１取付部８１０の第１貫通孔８１４及び第２貫通孔８１５のｘ軸方向及びｙ軸方向の幅は、第１ボルト８５１のボルト直径より大きい。
【００８０】
これにより、第１取付部８１０は、第１ボルト８５１によって固定される前は、ｚ軸方向（鉛直方向）に延伸する軸（ｚ軸）である第１ボルト８５１を中心に所定範囲（第１貫通孔８１４又は第２貫通孔８１５と第１ボルト８５１との隙間部分）揺動可能となる。
【００８１】
第１貫通孔８１４は、第２貫通孔８１５よりｙ軸負方向側に配置されている。第１貫通孔８１４及び第２貫通孔８１５にそれぞれ第１ボルト８５１が挿入されているため、第１ボルト８５１は２本使用されている。
【００８２】
つまり、ｚ軸方向（鉛直方向）に延伸する軸（ｚ軸）は、２本（２軸）有する。
【００８３】
具体的には、第１取付部８１０の第１底面８１１に設けられた第１貫通孔８１４及び第２貫通孔８１５のそれぞれに第１ボルト８５１が挿入される。
【００８４】
したがって、第１取付部８１０は、第１ボルト８５１の直径と第１貫通孔８１４又は第２貫通孔８１５との隙間分、ｘｙ平面上を可動することができる。
【００８５】
第１取付部８１０は、第１ボルト８５１によって締結された後は、ベース部材８４０に強固に固定される。
【００８６】
したがって、第１取付部８１０が第１ボルト８５１を中心に揺動可能であることにより、曲面を有するガラス部２３８（ガラス正面部２３８ｃ）の制作誤差が大きくなった場合であっても、第１取付部８１０は、ｘｙ平面上を可動し、ガラス部２３８の曲面に沿って接することができる。
【００８７】
そして、第１取付部８１０は、第１ボルト８５１によって、調節された位置でベース部材８４０に固定されるため、ガラス部２３８（ガラス正面部２３８ｃ）は、ベース部材８４０にしっかりと固定される。
【００８８】
なお、第１取付部８１０の第１取付部本体８１３と、第１底面８１１とを分離可能な構造としてもよい。この場合、第１底面８１１が固定された状態であっても、第１取付部本体８１３がｚ軸方向（鉛直方向）に延伸する軸を中心に揺動可能となる。
【００８９】
この場合、第１底面８１１と第１取付部本体８１３とを接続する軸が別途設けられる（図示しない）。
【００９０】
このような構成であっても、ガラス部２３８（ガラス正面部２３８ｃ）は、ベース部材８４０にしっかりと固定することができる。
【００９１】
図７に示すように、第２取付部８２０は、側面視（ｘｚ平面視）において底面及び上面が折り曲げられ又は溶接され、底面と上面がｘｙ平面と略平行となる構成である。
【００９２】
そして、第２取付部８２０は、第２底面８２１と、第２上面８２２と、第２底面８２１と第２上面８２２との間に配置される第２取付部本体８２３と、を含む。
【００９３】
本実施形態では、第２底面８２１には、調節部である第３貫通孔８２４及び第４貫通孔８２５を有する。なお、本実施形態では、貫通孔は２箇所設けられているが、１か所でもよく、また３箇所以上であってもよい。
【００９４】
第３貫通孔８２４及び第４貫通孔８２５は、ｘ軸方向に延びる長穴である。これにより、第２取付部８２０が取り付けられるｘ軸方向の位置調節が可能となる。
【００９５】
第３貫通孔８２４は、第４貫通孔８２５よりｙ軸負方向側に配置されている。
【００９６】
また、第２取付部８２０の第３貫通孔８２４及び第４貫通孔８２５のｘ軸方向及びｙ軸方向の幅は、第２ボルト８５２のボルト直径より大きい。
【００９７】
これにより、第２取付部８２０は、第２ボルト８５２によって固定される前は、ｚ軸方向（鉛直方向）に延伸する軸（ｚ軸）である第２ボルト８５２を中心に所定範囲（第３貫通孔８２４又は第４貫通孔８２５と第２ボルト８５２との隙間部分）揺動可能となる。
【００９８】
第３貫通孔８２４は、第４貫通孔８２５よりｙ軸負方向側に配置されている。第３貫通孔８２４及び第４貫通孔８２５にそれぞれ第２ボルト８５２が挿入されているため、第２ボルト８５２は２本使用されている。
【００９９】
つまり、ｚ軸方向（鉛直方向）に延伸する軸（ｚ軸）は、２本（２軸）有する。
【０１００】
具体的には、第２取付部８２０の第２底面８２１に設けられた第３貫通孔８２４及び第４貫通孔８２５のそれぞれに第２ボルト８５２が挿入される。
【０１０１】
したがって、第２取付部８２０は、第２ボルト８５２の直径と第３貫通孔８２４又は第４貫通孔８２５との隙間分、ｘｙ平面上を可動することができる。
【０１０２】
第２取付部８２０は、第２ボルト８５２によって締結された後は、ベース部材８４０に強固に固定される。
【０１０３】
したがって、第２取付部８２０が第２ボルト８５２を中心に揺動可能であることにより、曲面を有するガラス部２３８（ガラス正面部２３８ｃ）の制作誤差が大きくなった場合であっても、第２取付部８２０は、ｘｙ平面上を可動し、ガラス部２３８の曲面に沿って接することができる。
【０１０４】
そして、第２取付部８２０は、第２ボルト８５２によって、調節された位置でベース部材８４０に固定されるため、ガラス部２３８（ガラス正面部２３８ｃ）は、ベース部材８４０にしっかりと固定される。
【０１０５】
なお、第２取付部８２０の第２取付部本体８２３と、第２底面８２１とを分離可能な構造としてもよい。この場合、第２底面８２１が固定された状態であっても、第２取付部本体８２３がｚ軸方向（鉛直方向）に延伸する軸を中心に揺動可能となる。
【０１０６】
この場合、第２底面８２１と第２取付部本体８２３とを接続する軸が別途設けられる（図示しない）。
【０１０７】
このような構成であっても、ガラス部２３８（ガラス正面部２３８ｃ）は、ベース部材８４０にしっかりと固定することができる。
【０１０８】
第２取付部８２０には、補助部材８３０が取り付けられている。補助部材８３０は、第２取付部８２０の第２底面８２１と第２上面８２２との間に配置される。
【０１０９】
本実施形態では、補助部材８３０は、第２取付部８２０の第２底面８２１と第２上面８２２との間に配置される板状の部材である。
【０１１０】
補助部材８３０は、図７に示すようにガラス部２３８側（ｘ軸正方向側）に配置される。
【０１１１】
本実施形態では、１つの第２取付部８２０に対して、２つの補助部材８３０が取り付けられている。
【０１１２】
また、本実施形態では、補助部材８３０は、第３貫通孔８２４及び第４貫通孔８２５が設けられていない位置に配置されている。
【０１１３】
作業者がかご２３０の外側（ｘ軸正方向側）から第２取付部８２０をベース部材８４０に取り付ける場合、第２取付部８２０の第２取付部本体８２３が、ガラス部２３８側（ｘ軸正方向側）に配置される取付方より、ｘ軸負方向側に配置される取付方としたほうが作業性がよい。
【０１１４】
しかし、この場合、第２取付部８２０においてガラス正面部２３８ｃ（ガラス部２３８）に接触する部分が第２底面８２１及び第２上面８２２の端部だけとなってしまう。
【０１１５】
つまり、第２取付部８２０の第２取付部本体８２３がガラス部２３８側（ｘ軸正方向側）に配置される取付方より、ｘ軸負方向側に配置される取付方のほうが、ガラス正面部２３８ｃ（ガラス部２３８）と接触する面積が小さく、ガラス正面部２３８ｃ（ガラス部２３８）を固定するのに不十分となるおそれがある。
【０１１６】
そこで、本実施形態では、補助部材８３０が第２取付部８２０に配置される構成とすることにより、補助部材８３０の端部がガラス正面部２３８ｃ（ガラス部２３８）に接触するようにした。
【０１１７】
このような構成により、ガラス部２３８が強固に固定されると共に、第２取付部８２０が取り付けられる作業性が向上する。
【０１１８】
なお、本実施形態では、補助部材８３０が設けられているが、図８に示すように、第２取付部８２０の第２取付部本体８２３がガラス部２３８側（ｘ軸正方向側）に配置されるように、第２取付部８２０がベース部材８４０に取り付けられてもよい。
【０１１９】
ベース部材８４０は、第１取付部８１０及び第２取付部８２０が固定されるところである。
【０１２０】
ベース部材８４０は、第１取付部８１０を取り付ける第１ボルト８５１を挿入するための第５貫通孔８４１を有する。
【０１２１】
また、ベース部材８４０は、第２取付部８２０を取り付ける第２ボルト８５２を挿入するための第６貫通孔８４２を有する。
【０１２２】
本実施形態では、第５貫通孔８４１及び第６貫通孔８４２は、ガラス部２３８の曲率半径Ｒ上に配置される。
【０１２３】
このような構造であれば、第１取付部８１０及び第２取付部８２０は、曲面を有するガラス正面部２３８ｃ（ガラス部２３８）を、曲率半径上で挟むことができる。
【０１２４】
また、第１取付部８１０の第１貫通孔８１４及び第２貫通孔８１５、並びに、第２取付部８２０の第３貫通孔８２４及び第４貫通孔８２５が長孔であるため、長孔の長手方向（ｘ軸方向）に沿って位置調節が可能である。
【０１２５】
したがって、第１取付部８１０及び第２取付部８２０は、より強固にガラス正面部２３８ｃ（ガラス部２３８）を固定することができる。
【０１２６】
ベース部材８４０上部にガラス部２３８が配置され、第１取付部８１０及び第２取付部８２０によってガラス部２３８が挟まれることによって、ガラス部２３８がベース部材８４０上に固定される。
【０１２７】
ベース部材８４０は、第３ボルト８５３によってかご本体部２３６に固定されている。
【０１２８】
なお、第１取付部８１０と第２取付部８２０とは、ｘｙ平面視において、ガラス部２３８を軸として対称な位置に正確に配置されていなくてもよい。
【０１２９】
つまり、第１取付部８１０と第２取付部８２０とは、ｘｙ平面視において、ガラス部２３８を対称軸として、少なくとも一部が対称な位置に配置されていればよい。
【０１３０】
このような配置であれば、ガラス部２３８（ガラス正面部２３８ｃ）がしっかりと固定される。
【０１３１】
本実施形態では、ガラス部２３８のガラス正面部２３８ｃは、ｘｙ平面視において中心部がｘ軸正方向側に突出するように湾曲しているが、湾曲の寸法精度に誤差が生じてしまうおそれがある。
【０１３２】
しかし、本実施形態のように、複数のガラス取付部８００によって、ガラス部２３８が固定される構成であり、また、ガラス取付部８００の取付位置が調節できるものであれば、多少ガラス部２３８の湾曲寸法に誤差が生じたとしても、ガラス部２３８は、かご本体部２３６に取り付けられる。
【０１３３】
本実施形態では、かご本体部２３６に第２取付部８２０が取り付けられてから、ガラス部２３８が取り付けられ、第１取付部８１０が取り付けられる。
【０１３４】
また、第１取付部８１０及び第２取付部８２０は、ガラス部２３８に対して複数配置されている。そして、第１取付部８１０及び第２取付部８２０は、ガラス部２３８の湾曲寸法が多少違っても、取付位置の調節が可能であるため、ガラス部２３８をしっかりと固定することができる。
【０１３５】
本発明は、その趣旨を逸脱しない範囲で種々の改良、修正、又は変形を加えた態様でも実施できる。
【符号の説明】
【０１３６】
１００…エレベータ
２００…巻上機
２３０…かご
２３８…ガラス部
３００…かごガイドレール
４００…調速機
５００…テンションシーブ
６００…ガバナロープ
７００…オイルバッファ
８００…ガラス取付部
８１０…第１取付部
８１４…第１貫通孔（調節部）
８１５…第２貫通孔（調節部）
８２０…第２取付部
８２４…第３貫通孔（調節部）
８２５…第４貫通孔（調節部）
８３０…補助部材
【図１】
2019099347.tif 000003
【図２】
2019099347.tif 000004
【図３】
2019099347.tif 000005
【図４】
2019099347.tif 000006
【図５】
2019099347.tif 000007
【図６】
2019099347.tif 000008
【図７】
2019099347.tif 000009
【図８】
2019099347.tif 000010